(57)【要約】【課題】  写真を印刷した写真用紙に、当該写真の画像の情報を併せて記録することにより、容易に焼き増しや、画像を修正して写真を印刷することを実現すること。【解決手段】  デジタルカメラ３で撮影された画像データはメモリカード３０に記録される。そして、写真作成システム５は、メモリカード３０から、画像データを読み出し、管理サーバ７００に送信する。すると、写真作成システム５は、管理ＩＤを受信し、写真用紙の表面に写真を、裏面に管理ＩＤを印刷する。そして、焼き増しシステム９は、管理ＩＤ読取部９９０から管理ＩＤを読み取り、管理サーバ７００に送信する。すると、焼き増しシステム９は、管理サーバ７００から画像データを受信し、当該画像データを用いて写真印刷装置９９５により写真を印刷する。【選択図】  図１
2005103836.tif 000002
【特許請求の範囲】
【請求項１】
画像が印刷され、当該画像の印刷設定情報が所定の記録方式で記録されたシートから、当該シートに記録された印刷設定情報を読み取る読取手段と、
印刷設定情報と原画像データとを対応づけて記憶する記憶装置から、前記読み取られた印刷設定情報に対応する原画像データを取得する取得手段と、
前記読み取られた印刷設定情報を変更することにより前記取得された原画像データを修正して複製印刷用の複製印刷画像を生成する複製印刷画像生成手段と、
複製印刷画像を前記シートに印刷させる制御を行う印刷制御手段と、
を備えることを特徴とする画像印刷制御装置。
【請求項２】
複製印刷画像を前記シートに印刷させる際に、前記変更された印刷設定情報を当該シートに前記記録方式で記録させる制御を行う記録制御手段を備えることを特徴とする請求項１に記載の画像印刷制御装置。
【請求項３】
前記原画像データには、複数の個別画像のデータが含まれ、
前記印刷設定情報には、対応する原画像データ中の印刷対象の個別画像を特定する画像特定情報が含まれ、
前記複製印刷画像生成手段は、前記読取手段により読み取られた印刷設定情報に含まれる画像特定情報を変更することにより、対応する原画像データ中の他の個別画像を印刷対象として複製印刷画像を生成する印刷対象画像変更手段を有する、
ことを特徴とする請求項１又は２に記載の画像印刷制御装置。
【請求項４】
前記印刷設定情報には、対応する原画像データの印刷対象範囲を特定する範囲特定情報が含まれ、
前記複製印刷画像生成手段は、前記読取手段により読み取られた印刷設定情報に含まれる範囲特定情報を変更することにより、対応する原画像データの印刷対象範囲を変更して複製印刷画像を生成する範囲変更手段を有する、
ことを特徴とする請求項１又は２に記載の画像印刷制御装置。
【請求項５】
前記読取手段は、前記印刷設定情報が記録された微少無線ＩＣタグが内蔵された前記シートから、前記微少無線ＩＣタグと所定の無線通信を行うことにより印刷設定情報を読み取る無線読取手段を有し、
前記印刷制御手段は、前記変更された印刷設定情報を複製印刷用のシートに含有された微少無線ＩＣに記録させるように制御するＩＣ記録制御手段を有する、
ことを特徴とする請求項１又は２に記載の画像印刷制御装置。
【請求項６】
画像が印刷され、当該画像の識別情報が所定の記録方式で記録されたシートから、当該シートに記録された識別情報を読み取る読取手段と、
識別情報と原画像データと印刷設定情報とを対応づけて記憶する記憶装置から、前記読み取られた識別情報に対応する原画像データ及び印刷設定情報を取得する取得手段と、
前記取得された印刷設定情報を変更することにより前記取得された原画像データを修正して複製印刷用の複製印刷画像を生成する複製印刷画像生成手段と、
前記記憶装置に記憶された前記取得手段による取得対象の印刷設定情報を、前記変更された印刷設定情報で更新するように制御する更新制御手段と、
複製印刷画像を前記シートに印刷させる制御を行う印刷制御手段と、
を備えることを特徴とする画像印刷制御装置。
【請求項７】
複製印刷画像を前記シートに印刷させる際に、前記識別情報を当該シートに前記記録方式で記録させる制御を行う記録制御手段を備えることを特徴とする請求項６に記載の画像印刷制御装置。
【請求項８】
前記原画像データには、複数の個別画像のデータが含まれ、
前記印刷設定情報には、対応する原画像データ中の印刷対象の個別画像を特定する画像特定情報が含まれ、
前記複製印刷画像生成手段は、前記取得手段により取得された印刷設定情報に含まれる画像特定情報を変更することにより、対応する原画像データ中の他の個別画像を印刷対象として複製印刷画像を生成する印刷対象画像変更手段を有する、
ことを特徴とする請求項６又は７に記載の画像印刷制御装置。
【請求項９】
前記印刷設定情報には、対応する原画像データの印刷対象範囲を特定する範囲特定情報が含まれ、
前記複製印刷画像生成手段は、前記取得手段により取得された印刷設定情報に含まれる範囲特定情報を変更することにより、対応する原画像データの印刷対象範囲を変更して複製印刷画像を生成する範囲変更手段を有する、
ことを特徴とする請求項６又は７に記載の画像印刷制御装置。
【請求項１０】
コンピュータに、
画像が印刷され、当該画像の印刷設定情報が所定の記録方式で記録されたシートから、当該シートに記録された印刷設定情報を読み取る読取機能と、
印刷設定情報と原画像データとを対応づけて記憶する記憶装置から、前記読み取られた印刷設定情報に対応する原画像データを取得する取得機能と、
前記読み取られた印刷設定情報を変更することにより前記取得された原画像データを修正して複製印刷用の複製印刷画像を生成する複製印刷画像生成機能と、
複製印刷画像を前記シートに印刷させる制御を行う印刷制御機能と、
を実現させるためのプログラム。
【請求項１１】
コンピュータに、
画像が印刷され、当該画像の識別情報が所定の記録方式で記録されたシートから、当該シートに記録された識別情報を読み取る読取機能と、
識別情報と原画像データと印刷設定情報とを対応づけて記憶する記憶装置から、前記読み取られた識別情報に対応する原画像データ及び印刷設定情報を取得する取得機能と、
前記取得された印刷設定情報を変更することにより前記取得された原画像データを修正して複製印刷用の複製印刷画像を生成する複製印刷画像生成機能と、
前記記憶装置に記憶された前記取得機能による取得対象の印刷設定情報を、前記変更された印刷設定情報で更新するように制御する更新制御機能と、
複製印刷画像を前記シートに印刷させる制御を行う印刷制御機能と、
を実現させるためのプログラム。
【発明の詳細な説明】
【技術分野】
【０００１】
本発明は、画像印刷制御装置及びプログラムに関する。
【背景技術】
【０００２】
従来から、撮影した被写体の画像をデジタルデータとして記憶するデジタルカメラが知られている。デジタルカメラは、レンズを通してＣＣＤ（Charge Coupled Device）やＣＭＯＳ（Complementary Metal Oxide Semiconductor）イメージ・センサー等の撮像素子で取り込んだデジタル画像を、内蔵メモリや外部メモリに画像データとして記憶する装置である。記憶された画像データは、USB（Universal Serial Bus）やメモリカードリーダを介してコンピュータに取り込まれ、表示・印刷出来ることが知られている。
【０００３】
また、デジタルカメラで撮影された画像データを写真として印刷する装置が知られている（例えば、特許文献１参照）。例えば、ＤＰＥ（Developing, Printing, Enlarging）ショップ等で、外部メモリに記憶された画像データを写真用紙に写真として印刷するサービスに利用されている。
【特許文献１】特開２００３−０３７７９８号公報
【発明の開示】
【発明が解決しようとする課題】
【０００４】
デジタルカメラは、通常のカメラとは異なり、撮影された画像データは総て内蔵メモリやメモリカードに記憶されている。近年、内蔵メモリやメモリカードは大容量化しており、多くの画像データを記憶することが可能である。しかし、内蔵メモリやメモリカードの記憶容量は有限である。従って、画像データの記憶が出来なくと、ユーザは画像データを他の記憶装置に待避した後に、内蔵メモリやメモリカードに記憶されている画像データを消去する必要がある。
【０００５】
ところで、画像データを写真として印刷した後に、当該写真の焼き増しを行う場合がある。この場合、当該写真に対応する画像データが必要となるが、上述した内蔵メモリやメモリカードに記憶された画像データは他の記憶装置に待避されて保存されていることも多く、当該写真に対応する画像データを探し出すことが困難な場合があった。
【０００６】
また、デジタルカメラを用いて撮影し、撮影した画像を写真に印刷する者は、必ずしもコンピュータの操作に熟練した利用者とは限らない。従って、印刷された写真をさらに焼き増しする場合に、画像データを特定することが困難であるため、焼き増しを容易に行えなかった。さらに、画像データをデジタルカメラから消去してしまっている場合には、焼き増しをすることが出来なかった。
【０００７】
さらに、ユーザはデジタルカメラで撮影し記憶された画像データを、コンピュータ等を利用することにより修正することが可能である。ユーザが画像データを修正するためには、いわゆるフォトレタッチソフトと呼ばれている画像を修正するソフトを利用するが、操作方法が複雑である為に、フォトレタッチソフトの使用方法について精通している利用者以外が、画像データを所望する画像データに修正するのは極めて困難であった。
【０００８】
本発明は以上の課題に鑑みてなされたものであり、写真を印刷した写真用紙（シート）に、当該写真の画像の情報を併せて記録することにより、容易に焼き増しや、画像を修正して写真を印刷することを実現することである。
【課題を解決するための手段】
【０００９】
以上の課題を解決するために、請求項１に記載の画像印刷制御装置は、
画像が印刷され、当該画像の印刷設定情報が所定の記録方式で記録されたシートから、当該シートに記録された印刷設定情報を読み取る読取手段（例えば、図１の管理ＩＤ読取部９９０）と、
印刷設定情報と原画像データとを対応づけて記憶する記憶装置から、前記読み取られた印刷設定情報に対応する原画像データを取得する取得手段（例えば、図５のＣＰＵ９１０；図６のステップＢ１４）と、
前記読み取られた印刷設定情報を変更することにより前記取得された原画像データを修正して複製印刷用の複製印刷画像を生成する複製印刷画像生成手段（例えば、図５のＣＰＵ９１０；図６のステップＢ２４）と、
複製印刷画像を前記シートに印刷させる制御を行う印刷制御手段（例えば、図５のＣＰＵ９１０；図６のステップＢ３４）と、
を備えることを特徴とする。
【００１０】
また、請求項１０に記載のプログラムは、
コンピュータに、
画像が印刷され、当該画像の印刷設定情報が所定の記録方式で記録されたシートから、当該シートに記録された印刷設定情報を読み取る読取機能（例えば、図１の管理ＩＤ読取部９９０）と、
印刷設定情報と原画像データとを対応づけて記憶する記憶装置から、前記読み取られた印刷設定情報に対応する原画像データを取得する取得機能（例えば、図５のＣＰＵ９１０；図６のステップＢ１４）と、
前記読み取られた印刷設定情報を変更することにより前記取得された原画像データを修正して複製印刷用の複製印刷画像を生成する複製印刷画像生成機能（例えば、図５のＣＰＵ９１０；図６のステップＢ２４）と、
複製印刷画像を前記シートに印刷させる制御を行う印刷制御機能（例えば、図５のＣＰＵ９１０；図６のステップＢ３４）と、
を実現させることを特徴とする。
【００１１】
請求項１又は１０に記載の発明によれば、所定の記録方式で記録されたシートから、印刷設定情報を読み取り、当該印刷設定情報に対応する原画像データを取得する。そして、変更された印刷設定情報に基づいて印刷画像を印刷させることができる。従って、当該シートに記録された印刷設定情報に基づいて、当該シートに印刷された画像を印刷することにより焼き増しを行ったり、当該画像を修正した修正画像を写真として印刷するといったことが可能となる。
【００１２】
請求項２に記載の発明は、請求項１に記載の画像印刷制御装置において、
複製印刷画像を前記シートに印刷させる際に、前記変更された印刷設定情報を当該シートに前記記録方式で記録させる制御を行う記録制御手段（例えば、図２のＣＰＵ５１０；図３のステップＡ１８）を備えることを特徴とする。
【００１３】
請求項２に記載の発明によれば、印刷画像を印刷させるとともに、印刷設定情報を当該シートに記録させることができる。従って、当該シートから再び印刷設定情報に基づいて複製画像を写真として印刷するといったことが可能となる。
【００１４】
請求項３に記載の発明は、請求項１又は２に記載の画像印刷制御装置において、
前記原画像データには、複数の個別画像のデータ（図２（ａ）のメモリカード３０；図２（ｂ）の撮影画像）が含まれ、
前記印刷設定情報には、対応する原画像データ中の印刷対象の個別画像を特定する画像特定情報（図９のハードディスク７３０；画像管理ファイル７３２）が含まれ、
前記複製印刷画像生成手段は、前記読取手段により読み取られた印刷設定情報に含まれる画像特定情報を変更することにより、対応する原画像データ中の他の個別画像を印刷対象として複製印刷画像を生成する印刷対象画像変更手段（例えば、図５のＣＰＵ９１０；図６のステップＢ２４）を有する、
ことを特徴とする。
【００１５】
請求項３に記載の発明によれば、原画像データには、複数の個別画像が含まれており、印刷画像を生成するときに、どの画像を印刷するかを選択することが出来る。従って、複数画像の中から、所望の画像を印刷させることにより、写真を作成することが可能となる。
【００１６】
請求項４に記載の発明は、請求項１又は２に記載の画像印刷制御装置において、
前記印刷設定情報には、対応する原画像データの印刷対象範囲を特定する範囲特定情報が含まれ、
前記複製印刷画像生成手段は、前記読取手段により読み取られた印刷設定情報に含まれる範囲特定情報を変更することにより、対応する原画像データの印刷対象範囲を変更して複製印刷画像を生成する範囲変更手段（例えば、図５のＣＰＵ９１０；図６のステップＢ３０）を有する、
ことを特徴とする。
【００１７】
請求項４に記載の発明によれば、原画像データの印刷対象範囲を変更して、複製印刷画像を作成することが出来る。従って、原画像の中において、適切な印刷範囲を設定することができ、ユーザの所望する印刷対象範囲に基づいて、原画像を印刷させることが可能となる。
【００１８】
請求項５に記載の発明は、請求項１又は２に記載の画像印刷制御装置において、
前記読取手段は、前記印刷設定情報が記録された微少無線ＩＣタグが内蔵された前記シートから、前記微少無線ＩＣタグと所定の無線通信を行うことにより印刷設定情報を読み取る無線読取手段（例えば、図１２のＩＣ読取装置９９２）を有し、
前記印刷制御手段は、前記変更された印刷設定情報を複製印刷用のシートに含有された微少無線ＩＣに記録させるように制御するＩＣ記録制御手段（例えば、図１２のＩＣ更新装置９９７）を有する、
ことを特徴とする。
【００１９】
請求項５に記載の発明によれば、印刷設定情報を無線ＩＣタグから読み取り、変更された印刷設定情報を無線ＩＣタグに記録することが可能となる。従って、無線ＩＣタグを使用することにより、複製印刷画像を生成して、印刷することが可能となる。
【００２０】
請求項６に記載の画像印刷制御装置は、
画像が印刷され、当該画像の識別情報が所定の記録方式で記録されたシートから、当該シートに記録された識別情報を読み取る読取手段（例えば、図５のＣＰＵ９１０；図６のステップＢ１０）と、
識別情報と原画像データと印刷設定情報とを対応づけて記憶する記憶装置から、前記読み取られた識別情報に対応する原画像データ及び印刷設定情報を取得する取得手段（例えば、図５のＣＰＵ９１０；図６のステップＢ１４）と、
前記取得された印刷設定情報を変更することにより前記取得された原画像データを修正して複製印刷用の複製印刷画像を生成する複製印刷画像生成手段（例えば、図５のＣＰＵ９１０；図６のステップＢ２４）と、
前記記憶装置に記憶された前記取得手段による取得対象の印刷設定情報を、前記変更された印刷設定情報で更新するように制御する更新制御手段（例えば、図５のＣＰＵ９１０；図６のステップＢ２２）と、
複製印刷画像を前記シートに印刷させる制御を行う印刷制御手段（例えば、図５のＣＰＵ９１０；図６のステップＢ３４）と、
を備えることを特徴とする。
【００２１】
また、請求項１１に記載のプログラムは、
コンピュータに、
画像が印刷され、当該画像の識別情報が所定の記録方式で記録されたシートから、当該シートに記録された識別情報を読み取る読取機能（例えば、図５のＣＰＵ９１０；図６のステップＢ１０）と、
識別情報と原画像データと印刷設定情報とを対応づけて記憶する記憶装置から、前記読み取られた識別情報に対応する原画像データ及び印刷設定情報を取得する取得機能（例えば、図５のＣＰＵ９１０；図６のステップＢ１４）と、
前記取得された印刷設定情報を変更することにより前記取得された原画像データを修正して複製印刷用の複製印刷画像を生成する複製印刷画像生成機能（例えば、図５のＣＰＵ９１０；図６のステップＢ２４）と、
前記記憶装置に記憶された前記取得機能による取得対象の印刷設定情報を、前記変更された印刷設定情報で更新するように制御する更新制御機能（例えば、図５のＣＰＵ９１０；図６のステップＢ２２）と、
複製印刷画像を前記シートに印刷させる制御を行う印刷制御機能（例えば、図５のＣＰＵ９１０；図６のステップＢ３４）と、
を実現させることを特徴とする。
【００２２】
請求項６又は１１に記載の発明によれば、画像の識別情報が所定の記録方式で記録されたシートから、画像の識別情報を読み取り、当該識別情報に対応する印刷設定情報及び原画像データを取得する。そして、修正された印刷設定情報に基づいて印刷設定情報を更新させることが可能となる。従って、当該シートに記録された識別情報に基づいて、当該シートに印刷された画像を印刷することにより焼き増しを行ったり、当該画像を修正した修正画像を写真として印刷するといったことが可能となる。
【００２３】
請求項７に記載の発明は、請求項６に記載の画像印刷制御装置において、
複製印刷画像を前記シートに印刷させる際に、前記識別情報を当該シートに前記記録方式で記録させる制御を行う記録制御手段（例えば、図２のＣＰＵ５１０；図３のステップＡ１８）を備えることを特徴とする。
【００２４】
請求項７に記載の発明によれば、印刷画像を印刷させるとともに、識別情報を当該シートに記録させることができる。従って、当該シートから再び識別情報に基づいて複製画像を写真として印刷するといったことが可能となる。
【００２５】
請求項８に記載の発明は、請求項６又は７に記載の画像印刷制御装置において、
前記原画像データには、複数の個別画像のデータ（図２（ａ）のメモリカード３０；図２（ｂ）の撮影画像）が含まれ、
前記印刷設定情報には、対応する原画像データ中の印刷対象の個別画像を特定する画像特定情報（図９のハードディスク７３０；画像管理ファイル７３２）が含まれ、
前記複製印刷画像生成手段は、前記取得手段により取得された印刷設定情報に含まれる画像特定情報を変更することにより、対応する原画像データ中の他の個別画像を印刷対象として複製印刷画像を生成する印刷対象画像変更手段（例えば、図５のＣＰＵ９１０；図６のステップＢ２４）を有する、
ことを特徴とする。
【００２６】
請求項８に記載の発明によれば、原画像データには、複数の個別画像が含まれており、印刷画像を生成するときに、どの画像を印刷するかを選択することが出来る。従って、複数画像の中から、所望の画像を印刷させることにより、写真を作成することが可能となる。
【００２７】
請求項９に記載の発明は、請求項６又は７に記載の画像印刷制御装置において、
前記印刷設定情報には、対応する原画像データの印刷対象範囲を特定する範囲特定情報が含まれ、
前記複製印刷画像生成手段は、前記取得手段により取得された印刷設定情報に含まれる範囲特定情報を変更することにより、対応する原画像データの印刷対象範囲を変更して複製印刷画像を生成する範囲変更手段（例えば、図５のＣＰＵ９１０；図６のステップＢ３０）を有する、
ことを特徴とする。
【００２８】
請求項９に記載の発明によれば、原画像データの印刷対象範囲を変更して、複製印刷画像を作成することが出来る。従って、原画像の中において、適切な印刷範囲を設定することができ、ユーザの所望する印刷対象範囲に基づいて、原画像を印刷させることが可能となる。
【発明の効果】
【００２９】
請求項１又は１０に記載の発明によれば、所定の記録方式で記録されたシートから、印刷設定情報を読み取り、当該印刷設定情報に対応する原画像データを取得する。そして、変更された印刷設定情報に基づいて印刷画像を印刷させることができる。従って、当該シートに記録された印刷設定情報に基づいて、当該シートに印刷された画像を印刷することにより焼き増しを行ったり、当該画像を修正した修正画像を写真として印刷するといったことが可能となる。
【００３０】
請求項２に記載の発明によれば、印刷画像を印刷させるとともに、印刷設定情報を当該シートに記録させることができる。従って、当該シートから再び印刷設定情報に基づいて複製画像を写真として印刷するといったことが可能となる。
【００３１】
請求項３に記載の発明によれば、原画像データには、複数の個別画像が含まれており、印刷画像を生成するときに、どの画像を印刷するかを選択することが出来る。従って、複数画像の中から、所望の画像を印刷させることにより、写真を作成することが可能となる。
【００３２】
請求項４に記載の発明によれば、原画像データの印刷対象範囲を変更して、複製印刷画像を作成することが出来る。従って、原画像の中において、適切な印刷範囲を設定することができ、ユーザの所望する印刷対象範囲に基づいて、原画像を印刷させることが可能となる。
【００３３】
請求項５に記載の発明によれば、印刷設定情報を無線ＩＣタグから読み取り、変更された印刷設定情報を無線ＩＣタグに記録することが可能となる。従って、無線ＩＣタグを使用することにより、複製印刷画像を生成して、印刷することが可能となる。
【００３４】
請求項６又は１１に記載の発明によれば、画像の識別情報が所定の記録方式で記録されたシートから、画像の識別情報を読み取り、当該識別情報に対応する印刷設定情報に及び原画像データを取得する。そして、修正された印刷設定情報に基づいて印刷設定情報を更新させることが可能となる。従って、当該シートに記録された識別情報に基づいて、当該シートに印刷された画像を印刷することにより焼き増しを行ったり、当該画像を修正した修正画像を写真として印刷するといったことが可能となる。
【００３５】
請求項７に記載の発明によれば、印刷画像を印刷させるとともに、識別情報を当該シートに記録させることができる。従って、当該シートから再び識別情報に基づいて複製画像を写真として印刷するといったことが可能となる。
【００３６】
請求項８に記載の発明によれば、原画像データには、複数の個別画像が含まれており、印刷画像を生成するときに、どの画像を印刷するかを選択することが出来る。従って、複数画像の中から、所望の画像を印刷させることにより、写真を作成することが可能となる。
【００３７】
請求項９に記載の発明によれば、原画像データの印刷対象範囲を変更して、複製印刷画像を作成することが出来る。従って、原画像の中において、適切な印刷範囲を設定することができ、ユーザの所望する印刷対象範囲に基づいて、原画像を印刷させることが可能となる。
【発明を実施するための最良の形態】
【００３８】
以下、本発明の画像印刷制御装置を適用した画像管理システムについて図を参照して詳細に説明する。但し、本発明が適用可能なものはこれに限定されるものではない。
【００３９】
［１．画像管理システム］
まず、本実施の形態における画像管理システムの概略について述べる。図１は、画像管理システム全体の動作を説明するための図である。
【００４０】
［１．１  構成］
［１．１．１  デジタルカメラ］
デジタルカメラ３は、風景、人物等を撮影した被写体の画像をデジタルデータとして記憶するものである。また、デジタルカメラ３は、撮影した画像を記憶する領域として、挿抜自在なメモリカード３０を有している。デジタルカメラ３は、ユーザにより撮影する指示入力があると、１秒間隔で３枚連写し、撮影した３枚の画像をメモリカード３０に記憶する。ここで、デジタルカメラ３には、内部にＣＣＤ等の撮像素子・画像処理装置・メモリ等を備えて構成されているが、詳細な構成は公知であるので省略する。
【００４１】
メモリカード３０は、画像データを記憶するための記憶装置である。メモリカード３０には、カメラ画像データ格納領域３２が確保されている。また、メモリカード３０は、ＳＤメモリカードや、コンパクトフラッシュ（登録商標）等によって実現される。
【００４２】
図２（ｂ）は、メモリカード３０のカメラ画像データ格納領域３２のデータ構成の一例を示したものである。カメラ画像データ格納領域３２は、撮影された３枚の画像をそれぞれ第１予備画像（例えば、「03101001.jpg」）、本画像（例えば、「03101002.jpg」）、第２予備画像（例えば、「03101003.jpg」）として記憶している。また、本画像が記憶された撮影日時（例えば、「03/10/10 11:05:20」）を併せて記憶する。尚、第１予備画像、本画像、第２予備画像を併せて撮影画像といい、撮影日時と撮影画像を併せたものを画像データというものとする。
【００４３】
［１．１．２  画像管理システム］
画像管理システム１は、写真作成システム５と、写真焼き増しシステム９と、管理サーバ７００とを備えて構成されている。また、それぞれ写真作成システム５及び焼き増しシステム９と管理サーバ７００とは、インターネット等の所定の回線で接続されている。
【００４４】
［１．１．２（ａ）  写真作成システム］
写真作成システム５は、画像処理装置５００と、画像印刷装置５９５とを備えて構成されている。また、画像処理装置５００は、画像データ読取部５９０を備えている。画像処理装置５００は、画像データ読取部５９０によりメモリカード３０から画像データを読み取る。そして、読み取った画像データを管理サーバ７００に送信すると、当該画像データに対応する管理ＩＤを受信する。そして、読み取った画像データの本画像及び受信した管理ＩＤを印刷する旨の印刷制御信号を、画像印刷装置５９５に出力する。画像印刷装置５９５は、印刷制御信号を入力すると、写真用紙（シート）に本画像と管理ＩＤとを印刷する。
【００４５】
画像データ読取部５９０は、メモリカード３０に記憶されている画像データを読み取るための装置であり、メモリカードリーダ等で実現される。
【００４６】
画像印刷装置５９５は、写真を印刷するための装置であり、シートの表面に写真を、裏面に管理ＩＤを印刷する。ここで、画像印刷装置５９５は、昇華型カラープリンタや、インクジェット式プリンタ等で実現される。
【００４７】
［１．１．２（ｂ）  焼き増しシステム］
焼き増しシステム９は、写真を焼き増したり、修正された画像データに基づいて写真を印刷したりするシステムである。焼き増しシステム９は、写真処理装置９００と、写真印刷装置９９５とを備えて構成されている。また、写真処理装置９００は、管理ＩＤ読取部９９０を備えている。写真処理装置９００は、管理ＩＤ読取部９９０により管理ＩＤを読み取り、読み取った管理ＩＤを管理サーバ７００に送信すると、当該管理ＩＤに対応する画像データ及び印刷設定情報を含む登録情報を受信する。そして、写真処理装置９００は、画像データを修正し、写真印刷装置９９５に修正した画像データに基づく写真を印刷する制御信号を出力する。写真印刷装置９９５は、印刷制御信号を入力すると、写真用紙に本画像と管理ＩＤとを印刷する。
【００４８】
管理ＩＤ読取部９９０は、写真に印刷された管理ＩＤを読み取る装置であり、バーコードリーダや、スキャナ等で実現される。
【００４９】
写真印刷装置９９５は、写真及び管理ＩＤを印刷する装置である。写真作成システム５における画像印刷装置５９５と同等の構成である。
【００５０】
［１．１．２（ｃ）  管理サーバ］
管理サーバ７００は画像データを保存するためのサーバである。管理サーバ７００は、写真作成システム５より受信された画像データと、印刷設定情報とを登録情報として記憶する。そして、当該画像データに対応する管理ＩＤを、写真作成システム５に送信する。また、焼き増しシステム９より管理ＩＤを受信すると、管理ＩＤに対応する画像データ及び印刷設定情報を焼き増しシステム９に送信する。
【００５１】
［１．２  処理の流れ］
次に、詳細は後述するが、画像管理システム全体の処理の流れについて、概要を説明する。まず、デジタルカメラ３で撮影された画像は、画像データとしてメモリカード３０に記憶される。つぎに、メモリカード３０に記憶された画像データを写真作成システム５の画像処理装置５００に読み込ませる（Ｓ１）。そして、画像処理装置５００は、読み込まれた画像データを管理サーバ７００に送信する（Ｓ３）。すると、管理サーバ７００は、管理ＩＤを付与し、印刷設定情報と、画像データとを対応づけて登録情報として記憶する。また、管理サーバ７００は、当該管理ＩＤを、写真作成システム５に送信する（Ｓ５）。そして、画像処理装置５００は、読み取った画像データの本画像と、管理サーバ７００から受信した管理ＩＤとを画像印刷装置５９５を用いて写真用紙に印刷させ、写真Ａを作成する（Ｓ７）。
【００５２】
次に、写真Ａを焼き増しシステム９に読み込ませる（Ｓ９）。具体的には、写真処理装置９００は、写真Ａに印刷された管理ＩＤを管理ＩＤ読取部９９０から読み取る。そして、写真処理装置９００は、読み取った管理ＩＤを管理サーバ７００に送信する（Ｓ１１）。そして、管理ＩＤを受信した管理サーバ７００は、登録情報を写真処理装置に送信する（Ｓ１３）。そして、写真処理装置９００は、印刷設定情報に変更が有る場合には、変更された印刷設定情報を管理サーバ７００に送信する。さらに、写真処理装置９００は、印刷設定情報に基づいて、写真Ｂを作成する（Ｓ１５）。
【００５３】
［２．写真作成システム］
［２．１  構成］
写真作成システム５の構成について詳細に説明する。図２（ａ）は、写真作成システム５の構成図である。写真作成システム５は、図２（ａ）の点線で囲まれた領域の画像処理装置５００及び画像印刷装置５９５から構成されている。また、画像処理装置５００は、ＣＰＵ（Central Processing Unit）５１０と、ＲＯＭ（Read Only Memory）５２０と、ＲＡＭ（Random Access Memory）５３０と、入力部５４０と、表示部５５０と、通信部５６０と、入出力Ｉ／Ｆ５７０と、画像データ読取部５９０とから構成されている。
【００５４】
ＲＯＭ５２０は、各種初期設定、ハードウェアの検査、あるいは必要なプログラムのロード等を行うための初期プログラムを格納する読み出し専用メモリである。ＣＰＵ５１０は、画像処理装置５００の電源投入時においてこの初期プログラムを実行することにより、画像処理装置５００の動作環境を設定する。また、ＲＯＭ５２０には、写真出力プログラム５２２が格納されている。
【００５５】
ＲＡＭ５３０は、ＣＰＵ５１０が実行する各種プログラムや、これらのプログラムの実行にかかるデータ等を一時的に保持する随時書き込み可能なメモリである。本実施形態では、画像データ格納領域５３２の領域が確保されている。
【００５６】
画像データ格納領域５３２は、画像データ読取部５９０により読み取られる画像データを格納しておくための領域である。具体的には、メモリカード３０のカメラ画像データ格納領域３２に記憶されている画像データが、画像データ格納領域５３２に記憶される。従って、図２（ｂ）に示したカメラ画像データ格納領域３２のデータ構造の一例と同一のデータ構造から構成されている。
【００５７】
ＣＰＵ５１０は、入力される指示に応じて所定のプログラムに基づいた処理を実行し、各機能部への指示やデータの転送を行う。具体的には、ＣＰＵ５１０は、入力部５４０から入力される操作信号に応じてＲＯＭ５２０に格納されたプログラムを読み出し、当該プログラムに従って処理を実行する。そして、表示制御信号を適宜表示部５５０に出力して、処理結果を表示させる。また、ＣＰＵ５１０は、本実施形態において、ＲＯＭ５２０の写真出力プログラム５２２に従った、写真出力処理（図３参照）を実行する。
【００５８】
具体的には、ＣＰＵ５１０は、写真出力処理において、メモリカード３０より画像データを読み込む。そして、ＣＰＵ５１０は、読み込んだ画像データを管理サーバ７００に送信する。次に、ＣＰＵ５１０は、管理ＩＤを受信すると、本画像を写真用紙の表面に印刷し、裏面に受信した管理ＩＤを印刷する。
【００５９】
入力部５４０は、機能選択等に必要なキー群を備えた入力装置であり、押下されたキーの信号をＣＰＵ５１０に出力する。この入力部５４０におけるキー入力により、処理の実行などを指示する制御命令の入力手段を実現する。なお、この入力部５４０は、キーボードやマウス、タッチパネル等により構成される。
【００６０】
また、表示部５５０は、ＣＰＵ５１０から出力される表示信号に基づいて各種画面を表示するものであり、ＣＲＴ（Cathode Ray Tube）等により構成される。
【００６１】
通信部５６０は、画像処理装置５００を、管理サーバ７００に接続するための通信装置である。ＣＰＵ５１０は、読み込んだ画像データを、通信部５６０を介して管理サーバ７００に送信する。また、ＣＰＵ５１０は、通信部５６０を介して画像データに対応する管理ＩＤを受信する。ここで、通信部５６０は、例えばＬＡＮ（Local Area Network）カードや、モデム等から構成される。
【００６２】
入出力Ｉ／Ｆ５７０は、画像処理装置５００に、画像印刷装置５９５を接続するためのインタフェースである。ＣＰＵ５１０は、入出力Ｉ／Ｆ５７０を介して画像印刷装置５９５に印刷制御信号を出力することにより画像印刷装置５９５に印刷を行わせる。ここで、入出力Ｉ／Ｆ５７０は、例えばＵＳＢ（Universal Serial Bus）等から構成されている。
【００６３】
画像データ読取部５９０は、メモリカード３０のカメラ画像データ格納領域３２に記憶されている画像データを、写真作成システム５に取り込むための装置である。ここで、画像データ読取部５９０は、例えばカードリーダ等から構成されている。
【００６４】
［２．２  処理の流れ］
本実施の形態におけるＣＰＵ５１０が実行する写真出力処理について説明する。図３は、写真出力処理に係る画像処理装置５００の動作を説明するためのフローチャートである。この写真出力処理は、ＣＰＵ５１０が、ＲＯＭ５２０に記憶された写真出力プログラム５２２を実行することによって実現される処理である。
【００６５】
写真出力処理において、まずＣＰＵ５１０は、画像データ読取部５９０から、メモリカード３０のカメラ画像データ格納領域３２に記録されている画像データを読み込む（ステップＡ１０）。次に、ＣＰＵ５１０は、読み込んだ画像データを通信部５６０から管理サーバ７００に送信する（ステップＡ１２）。
【００６６】
次に、ＣＰＵ５１０は、通信部５６０から、管理サーバ７００より送信された管理ＩＤを受信すると（ステップＡ１４）、入出力Ｉ／Ｆ５７０を介して印刷制御信号を画像印刷装置５９５に出力し、写真を印刷させる。具体的には、ＣＰＵ５１０は、写真用紙の表面に本画像を印刷する制御信号を画像印刷装置５９５に出力して、表面に本画像を印刷させる（ステップＡ１６）。また、裏面に管理ＩＤを印刷する制御信号を画像印刷装置５９５に出力して、管理ＩＤを裏面に印刷させる（ステップＡ１８）。
【００６７】
ここで、印刷された写真の一例を示したのが図４である。図４（ａ）によれば、写真用紙Ｐ１０の表面Ｐ１０ａに本画像の写真が印刷されている。また、図４（ｂ）によれば、写真用紙Ｐ１０の裏面Ｐ１０ｂに管理ＩＤ識別子Ｉ１０が印刷されている。ここで、本実施の形態において、管理ＩＤ識別子Ｉ１０は、一例としてバーコードと数字とから印刷されているがこれに限られる物ではなく、例えば２次元バーコードや、磁気データ等、管理ＩＤ読取部９９０が読み取れる物で有ればよい。
【００６８】
このように、写真作成システム５によれば、写真用紙の表面に本画像の写真を、裏面に画像データを識別するための管理ＩＤを印刷することが出来る。従って、印刷された写真のみで、写真の元となる画像データを識別することが可能となる。
【００６９】
［３．焼き増しシステム］
［３．１  構成］
次に、焼き増しシステム９の構成について説明する。図５は、焼き増しシステム９の構成図である。焼き増しシステム９は、図５（ａ）の点線で囲まれた領域の写真処理装置９００及び写真印刷装置９９５を備えて構成されている。また、写真処理装置９００は、ＣＰＵ９１０と、ＲＯＭ９２０と、ＲＡＭ９３０と、入力部９４０と、表示部９５０と、入出力Ｉ／Ｆ９６０と、通信部９７０と、管理ＩＤ読取部９９０とを備えて構成されている。
【００７０】
ＲＯＭ９２０は、各種初期設定、ハードウェアの検査、あるいは必要なプログラムのロード等を行うための初期プログラムを格納する。ＣＰＵ９１０は、写真処理装置９００の電源投入時においてこの初期プログラムを実行することにより、写真処理装置９００の動作環境を設定する。また、ＲＯＭ９２０には、画像編集プログラム９２２を格納する。
【００７１】
ＲＡＭ９３０は、ＣＰＵ９１０が実行する各種プログラムや、これらのプログラムの実行にかかるデータ等を一時的に保持するメモリ領域を備える。本実施形態では、登録情報格納領域９３２を確保している。
【００７２】
登録情報格納領域９３２は、管理サーバ７００から受信される画像の登録情報について記憶する領域である。図５（ｂ）に、登録情報格納領域９３２に格納される登録情報のデータ構成の一例を示す。図５（ｂ）に示すように、登録情報は、印刷設定情報及び画像データから構成されている。ここで、印刷設定情報には、管理ＩＤ（例えば、「321046905」）と、選択画像（例えば、「本画像」）と、画像範囲（例えば、「(100,100)〜(740,580)」）とが記憶されている。また、画像データには、撮影日時（「例えば、「03/10/10 11:05:20」）と、撮影画像とが記憶されている。
【００７３】
ＣＰＵ９１０は、入力される指示に応じて所定のプログラムに基づいた処理を実行し、各機能部への指示やデータの転送を行う。具体的には、ＣＰＵ９１０は、入力部９４０から入力される操作信号に応じてＲＯＭ９２０に格納されたプログラムを読み出し、当該プログラムに従って処理を実行する。そして、表示制御信号を適宜表示部９５０に出力して、処理結果を表示させる。また、ＣＰＵ９１０は、本実施形態において、ＲＯＭ９２０の画像編集プログラム９２２に従った、画像編集処理（図６参照）を実行する。
【００７４】
具体的には、ＣＰＵ９１０は、管理ＩＤ読取部９９０に写真用紙の裏面より管理ＩＤを読み取らせて、読み取った管理ＩＤを管理サーバ７００に送信する。そして、ＣＰＵ９１０は、管理サーバ７００より登録情報を受信する。そして、ＣＰＵ９１０は、撮影画像が選択されたり、画像の印刷する範囲が設定される等のユーザの設定操作に従って、印刷設定情報を変更する。そして、変更された印刷設定情報に基づいて、ＣＰＵ９１０は写真印刷装置９９５に写真を印刷させる。
【００７５】
入力部９４０は、機能選択等に必要なキー群を備えた入力装置であり、押下されたキーの信号をＣＰＵ９１０に出力する。この入力部９４０におけるキー入力により、処理の実行などを指示する制御命令の入力手段が実現される。また、表示部９５０は、ＣＰＵ９１０から出力される表示信号に基づいて各種画面を表示するものである。
【００７６】
入出力Ｉ／Ｆ９６０は、写真処理装置９００と、写真印刷装置９９５とを接続するためのインタフェースである。写真処理装置９００は、入出力Ｉ／Ｆ９６０を介して写真印刷装置９９５の制御を行う。
【００７７】
通信部９７０は、写真処理装置９００と、管理サーバ７００とを接続するための通信装置であり、読み取った管理ＩＤを、管理サーバ７００に送信し、管理ＩＤに対応する登録情報を受信する。
【００７８】
管理ＩＤ読取部９９０は、写真用紙Ｐ１０の裏面Ｐ１０ｂに印刷された管理ＩＤ識別子Ｉ１０を読み取る装置であり、例えばバーコードリーダ等から構成されている。
【００７９】
［３．２  処理の流れ］
本実施形態におけるＣＰＵ９１０が実行する画像編集処理について説明する。図６は、画像編集処理に係る写真処理装置９００の動作を説明するためのフローチャートである。この画像編集処理は、ＣＰＵ９１０が、ＲＯＭ９２０に記憶された画像編集プログラム９２２を実行することによって実現される処理である。
【００８０】
画像編集処理において、まず、ＣＰＵ９１０は管理ＩＤ読取部９９０に、写真用紙Ｐ１０の裏面Ｐ１０ｂに印刷された管理ＩＤ識別子Ｉ１０から管理ＩＤを読み取らせる（ステップＢ１０）。そして、ＣＰＵ９１０は、読み取らせた管理ＩＤを、管理サーバ７００に送信する（ステップＢ１２）。
【００８１】
次に、ＣＰＵ９１０は、通信部９７０から、管理サーバ７００によって送信された登録情報を受信する（ステップＢ１４）。そして、ＣＰＵ９１０は、編集内容の選択待ちとなる（ステップＢ１６）。
【００８２】
画像を選択する項目が選択された場合には（ステップＢ１６；画像選択）、ＣＰＵ９１０は、登録情報格納領域９３２に記憶された撮影画像（第１予備画像・本画像・第２予備画像）を表示部９５０に一覧表示する（ステップＢ１８）。そして、表示させた画像の中から一の画像が選択されると、ユーザの入力操作に従って、現在選択されている画像である選択画像を特別表示する（ステップＢ２０）。ＣＰＵ９１０は、選択画像を管理サーバ７００に送信する（ステップＢ２２）。さらに、ＣＰＵ９１０は、登録情報格納領域９３２に記憶されている選択画像を更新する（ステップＢ２４）。
【００８３】
一方、印刷範囲が指定された場合には（ステップＢ１６；印刷範囲）、ＣＰＵ９１０は、選択画像を表示部９５０に表示する。そして、表示させた選択画像の印刷する範囲が指定されると（ステップＢ２６）、指定された画像範囲を新たな画像範囲として、管理サーバ７００に送信する（ステップＢ２８）。さらに、新たな画像範囲に基づいて、登録情報格納領域９３２を更新する（ステップＢ３０）。
【００８４】
そして、ＣＰＵ９１０は、印刷処理が選択された場合（ステップＢ１６；印刷、ステップＢ３２；Ｙｅｓ）、登録情報格納領域９３２に記憶されている印刷設定情報に基づく印刷を行わせるための印刷制御信号を、写真印刷装置９９５に出力して写真を印刷させる（ステップＢ３４）。
【００８５】
ここで、表示画面例を用いて画像編集処理について具体的に説明する。まず図７（ａ）は、写真焼き増しシステム９の起動画面の一例である。図７（ａ）の起動画面は、ＣＰＵ９１０が、写真に印刷されている管理ＩＤを読み込み中であることを表示している画面である。
【００８６】
図７（ｂ）は、管理ＩＤが読み込まれたときの表示画面Ｗ１００の一例である。ＣＰＵ９１０は、写真の管理ＩＤ「32109643521」を読み込み、当該管理ＩＤを領域Ｒ１００に表示している。
【００８７】
図７（ｃ）は、編集内容を選択させるための表示画面Ｗ１００の一例である。ＣＰＵ９１０は、前後の写真を選択させる項目（画像を選択させる項目）と、印刷範囲を指定する項目と、印刷する項目とをメニュー表示している（ステップＢ１６）。そして、ユーザにより項目が選択されると、対応する処理を実行する。
【００８８】
ここで、前後の写真を選択させる項目が選択された場合に表示される画面例を図７（ｄ）に示す。図７（ｄ）は、撮影画像として記憶されている画像データを一覧表示した表示画面Ｗ１００の一例である。表示画面Ｗ１００には、本画像が撮影された時間の１秒前の画像である第１予備画像Ｐ１００「03101001.jpg」と、本画像Ｐ１０２「03101002.jpg」と、本画像が撮影された時間の１秒後の画像である第２予備画像Ｐ１０４「03101003.jpg」とが表示されている。また、図５（ｂ）の登録情報を参照すると、現在の選択画像は「本画像」であるため、本画像Ｐ１０２には、特別表示Ｋ１００が表示されている。
【００８９】
ここで、本画像が撮影された時間の１秒前の画像である第１予備画像Ｐ１００が選択された場合に表示される画面例を図８（ａ）に示す。図８（ａ）は、１秒前の画像が選択されたメッセージ表示がされており、選択された第１予備画像Ｐ１００に特別表示Ｋ１０２がなされている。そして、この段階で印刷を実行した場合における写真が、右の写真Ｐ１２である。
【００９０】
一方、メニュー表示において印刷範囲を設定する項目が選択された場合に表示される画面例を図８（ｂ）に示す。図８（ｂ）は、印刷範囲の設定を行う画面を表示した表示画面Ｗ２００の一例である。選択画像を領域Ｒ２００に表示している。また、このとき登録情報格納領域９３２に記憶されてる画像範囲を示しているのが、点線で囲まれた範囲指定Ｈ２００である。
【００９１】
図８（ｃ）は、画像範囲Ｈ２００を新たな範囲として設定したときにおける表示画面Ｗ２００の一例を示した図である。新たな画像範囲として、範囲設定Ｈ２０２が設定されている。そして、この段階で印刷を実行した場合における写真が、右の写真Ｐ１４である。
【００９２】
このように、画像編集処理によれば、印刷される画像を他の画像に変更したり、印刷する範囲を変更することが可能となる。従って、ユーザの所望する写真を適宜印刷することが可能となる。
【００９３】
［４．管理サーバ］
［４．１  構成］
次に、管理サーバ７００の構成について説明する。図９は、管理サーバ７００の構成図である。管理サーバ７００は、ＣＰＵ７１０と、ＲＯＭ７２０と、ハードディスク７３０と、ＲＡＭ７４０と、通信部７５０とを備えて構成されている。
【００９４】
ＲＯＭ７２０は、各種初期設定、ハードウェアの検査、あるいは必要なプログラムのロード等を行うための初期プログラムを格納する。ＣＰＵ７１０は、管理サーバ７００の電源投入時においてこの初期プログラムを実行することにより、管理サーバ７００の動作環境を設定する。また、ＲＯＭ７２０は、画像登録プログラム７２２と、画像送信プログラム７２４とを記憶する。
【００９５】
ハードディスク７３０は、オペレーティングシステム、必要なプログラム又はデータファイル等を保存する記憶装置である。また、ハードディスク７３０には、画像管理ファイル７３２が保存されている。
【００９６】
画像管理ファイル７３２は、写真作成システム５から送信された画像データに、印刷設定情報を対応づけて登録情報として保存するためのファイルである。図１０（ａ）に、データ構造の一例を示す。画像管理ファイル７３２には、管理ＩＤ（例えば、「321046905」）と、選択画像（例えば、「本画像」）と、画像範囲（例えば、「(100,100)〜(740,580)」）と、撮影日時（例えば、「03/09/10  11:05:20」）と、第１予備画像（例えば、「01101001.jpg」）と、本画像（例えば、「01101002.jpg」）と、第２予備画像（例えば、「01101003.jpg」）とが対応づけられて記憶されている。
【００９７】
ＲＡＭ７４０は、ＣＰＵ７１０が実行する各種プログラムや、これらのプログラムの実行にかかるデータ等を一時的に保持するメモリ領域を備える。
【００９８】
ＣＰＵ７１０は、入力される指示に応じて所定のプログラムに基づいた処理を実行し、各機能部への指示やデータの転送を行う。具体的には、ＣＰＵ７１０は、通信部７５０から受信されるデータに応じてＲＯＭ７２０に格納されたプログラムを読み出し、当該プログラムに従って処理を実行する。そして、所定のデータを適宜通信部７５０から各処理装置に出力する。また、ＣＰＵ５１０は、本実施形態において、ＲＯＭ７２０の画像登録プログラム７２２に従った画像登録処理（図１０（ｂ））と、画像送信プログラム７２４に従った画像送信処理（図１１）とを実行する。
【００９９】
具体的には、ＣＰＵ７１０は、画像登録処理において、画像処理装置５００より画像データを受信する。そして、ＣＰＵ７１０は、受信された画像データの管理ＩＤを決定し、画像データを画像管理ファイルに記憶する。そして、ＣＰＵ７１０は、管理ＩＤを画像処理装置５００に送信する。
【０１００】
また、ＣＰＵ７１０は、画像送信処理において、写真処理装置９００より管理ＩＤを受信する。そして、ＣＰＵ７１０は、受信した管理ＩＤに対応する登録情報を写真処理装置９００に送信する。次にＣＰＵ７１０は、印刷設定情報が変更された信号を受信すると、登録情報に含まれる当該印刷設定情報を更新する。
【０１０１】
通信部７５０は、管理サーバ７００と、画像処理装置５００及び写真処理装置９００とを接続するための通信装置である。
【０１０２】
［４．２  処理の流れ］
図１０（ｂ）は、画像登録処理に係る管理サーバ７００の動作を説明するためのフローチャートである。この画像登録処理は、ＣＰＵ７１０がＲＯＭ７２０の画像登録プログラム７２２を実行することによって実現される処理である。
【０１０３】
まず、ＣＰＵ７１０は、通信部７５０から画像処理装置５００によって送信された画像データを受信する（ステップＣ１０）。そして、ＣＰＵ７１０は、画像データの管理ＩＤを決定する（ステップＣ１２）。そして、管理ＩＤを含めた印刷設定情報と、受信された画像データとを画像管理ファイル７３２に保存する（ステップＣ１４）。ここで、ＣＰＵ７１０は、画像管理ファイル７３２に保存する印刷設定情報に、ステップＣ１２で決定された管理ＩＤと、選択画像の初期値である「本画像」と、画像を表示・印刷する際の範囲の初期値である「(100,100)〜(740,580)」として保存する。
【０１０４】
そして、画像データに対応する管理ＩＤを、画像処理装置５００に通信部７５０を介して送信させる（ステップＣ１６）。
【０１０５】
次に、図１１は、画像送信処理に係る管理サーバ７００の動作を説明するためのフローチャートである。この画像送信処理は、ＣＰＵ７１０がＲＯＭ７２０の画像送信プログラム７２４を実行することによって実現される処理である。
【０１０６】
まず、ＣＰＵ７１０は、通信部７５０から写真処理装置９００によって送信された管理ＩＤを受信する（ステップＤ１０）。次に、管理ＩＤに対応する登録情報を、画像管理ファイル７３２より抽出し、当該登録情報を写真処理装置９００に送信する（ステップＤ１２）。
【０１０７】
次に、写真処理装置９００から信号が受信されると（ステップＤ１４；Ｙｅｓ）、受信された信号の種類に応じて画像管理ファイルに保存されている登録情報を更新する。まず、受信された信号が選択画像を更新する信号であった場合には（ステップＤ１６；選択画像）、画像管理ファイル７３２に保存されている選択画像の値を更新する（ステップＤ１８）。また、選択画像に対応した時間に、画像管理ファイル７３２の撮影日時を更新する（ステップＤ２０）。例えば、選択画像が「本画像」から第１予備画像に変更された場合には、撮影日時から１秒減算して更新する。
【０１０８】
また、写真処理装置９００から受信された信号が画像範囲を更新する信号であった場合には（ステップＤ１６；画像範囲）、画像管理ファイル７３２に保存されている画像範囲の値を更新する（ステップＤ２２）。
【０１０９】
このように、管理サーバ７００を利用することにより、管理サーバ７００に接続されたどの端末からであっても、写真に印刷された管理ＩＤを読み取ることにより、画像データを印刷することが可能となる。
【０１１０】
［５．変形例］
［５．１  微少無線ＩＣタグの利用］
上述の実施形態において、管理ＩＤは、写真用紙の裏面に印刷することにより記録されることとして説明したが、それに限られるわけではなく、例えばミューチップ（登録商標）等の微少無線ＩＣタグが含有された写真用紙の当該微少無線ＩＣタグに記録することとしてもよい。
【０１１１】
図１２に、微少無線ＩＣタグを含有した写真用紙を利用した場合の画像管理システムの概略を示す。写真作成システム５は、微少無線ＩＣタグＴＧに管理ＩＤを書き込むＩＣ書込み装置５９２を備える。さらに、焼き増しシステム９は、ＩＣ読取装置９９２及びＩＣ更新装置９９７を備える。
【０１１２】
そして、写真作成システム５は、写真を印刷する際に、画像印刷装置５９５が画像を印刷し、ＩＣ書込み装置５９２が、微少無線ＩＣタグＴＧに管理ＩＤを記録する。
【０１１３】
次に、焼き増しシステム９が、微少無線ＩＣタグＴＧに記録されている管理ＩＤをＩＣ読取装置９９２より読み取り、読み取った管理ＩＤを管理サーバ７００に送信することにより、処理を実現することができる。
【０１１４】
さらに、微少無線ＩＣタグＴＧの記憶領域を利用して、画像データ及び印刷設定情報を微少無線ＩＣタグＴＧに記録することとしても良い。具体的には、写真作成システム５において、画像データ読取部５９０により読み取られた画像データ及び印刷設定情報を、ＩＣ書込み装置５９２によりＩＣタグに記録する。また、焼き増しシステム９においては、ＩＣ読取装置９９２が、印刷設定情報及び画像データを読み出し、写真印刷装置９９５により写真を印刷する。また、焼き増しシステム９は、変更された印刷設定情報をＩＣ更新装置９９７を用いて更新記録する。
【０１１５】
このように、微少無線ＩＣタグを利用することにより、直接写真に画像データを記録することが可能となる。従って、サーバとの通信が不必要になり、写真だけで焼き増し等の処理が可能となる。
【０１１６】
［５．２  各変形例］
本実施の形態においては、写真作成システムと、焼き増しシステムとを別の構成として説明したが、同一のシステムとして実現することとしても良いことは勿論である。具体的には、図２の写真作成システム５において、画像処理装置５００に管理ＩＤ読取部９９０を更に備えることとする。また、画像処理装置５００のＲＯＭ５２０に画像編集プログラム９２２を格納し、ＲＡＭ５３０に登録情報格納領域９３２の領域を確保する。そして、画像処理装置５００のＣＰＵ５１０が、画像編集プログラム９２２を実行することにより、画像編集処理が実現され、写真作成システム５においても、焼き増しシステム９の機能を実現する。
【０１１７】
また、本実施の形態においては、画像データを静止画として保存していたが、静止画に限られるわけではなく、例えば動画データを保存することとしても良い。例えば、１秒間に１５画面撮影する動画データを２秒間保存するとする。この場合、ある時間のデータを抽出することにより写真として印刷することが可能となる。
【０１１８】
また、本実施の形態においては、デジタルカメラ３においては、画像データをメモリカード３０に保存することとして説明したが、これに限定されるわけではなく、例えばデジタルカメラ３の内蔵メモリに保存することとしてもよい。この場合、上述の実施の形態と比べてメモリカード３０が不用となる。
【０１１９】
また、上述の実施の形態では、デジタルカメラ３は、いわゆるデジタルカメラ専用機として説明したが、これに限定されるものではなく、携帯電話に内蔵されるものであってもよいし、ＰＤＡ（Personal Digital Assistant）に内蔵されるものであってもよい。
【図面の簡単な説明】
【０１２０】
【図１】画像管理システムの全体を示した図である。
【図２】（ａ）写真作成システムの構成を表した図、（ｂ）カメラ画像データ格納領域のデータ構成を示した図である。
【図３】写真出力処理を示した図である。
【図４】（ａ）写真の表面、（ｂ）写真の裏面を示した図である。
【図５】（ａ）焼き増しシステムの構成を表した図、（ｂ）登録情報格納領域のデータ構成を示した図である。
【図６】画像編集処理のフローチャートを示した図である。
【図７】画像編集処理を実行したときの表示部を示した図である。
【図８】画像編集処理を実行したときの表示部を示した図である。
【図９】管理サーバの構成を示した図である。
【図１０】（ａ）画像管理ファイルのデータ構成を示した図、（ｂ）画像登録処理のフローチャートを示した図である。
【図１１】画像送信処理のフローチャートを示した図である。
【図１２】画像管理システムの変形例における全体を示した図である。
【符号の説明】
【０１２１】
１  画像管理システム
３  デジタルカメラ
３０  メモリカード
３２  カメラ画像データ格納領域
５      写真作成システム
５００    画像処理装置
５１０    ＣＰＵ
５２０    ＲＯＭ
５２２  写真出力プログラム
５３０    ＲＡＭ
５３２  画像データ格納領域
５４０    入力部
５５０    表示部
５６０    通信部
５７０    入出力Ｉ／Ｆ
５９０    画像データ読取部
５９５    画像印刷装置
９      焼き増しシステム
９００    写真処理装置
９１０    ＣＰＵ
９２０    ＲＯＭ
９２２  画像編集プログラム
９３０    ＲＡＭ
９３２  登録情報格納領域
９４０    入力部
９５０    表示部
９６０    入出力Ｉ／Ｆ
９７０    通信部
９９０    管理ＩＤ読取部
９９５    写真印刷装置
７００  管理サーバ
７１０      ＣＰＵ
７２０      ＲＯＭ
７２２    画像登録プログラム
７２４    画像送信プログラム
７３０      ハードディスク
７３２    画像管理ファイル
７４０      ＲＡＭ
７５０      通信部
【図１】
2005103836.tif 000003
【図２】
2005103836.tif 000004
【図３】
2005103836.tif 000005
【図４】
2005103836.tif 000006
【図５】
2005103836.tif 000007
【図６】
2005103836.tif 000008
【図７】
2005103836.tif 000009
【図８】
2005103836.tif 000010
【図９】
2005103836.tif 000011
【図１０】
2005103836.tif 000012
【図１１】
2005103836.tif 000013
【図１２】
2005103836.tif 000014